(57)【特許請求の範囲】
【請求項１】
制御装置と、この制御装置に接続されるパーソナルコンピュータとを備えた自動停復電試験装置であって、
前記パーソナルコンピュータは、
停復電のシミュレーションパターンを記憶する記憶手段と、
この記憶手段に記憶されている停復電のシミュレーションパターンを前記制御装置に送る手段と、
前記制御装置からの被試験システムにおける停復電のシミュレーション結果を表示する表示手段と、
前記制御装置からの被試験システムにおける停復電のシミュレーション結果を蓄積する蓄積手段とを備え、
前記制御装置は、
前記パーソナルコンピュータからの停復電のシミュレーションパターンに基づいて商用電源，自家発電源および電源の状態を示すステータス信号を生成する手段と、
前記生成されたステータス信号を前記被試験システムへ与える手段と、
前記被試験システムにおける停復電のシミュレーション結果を前記パーソナルコンピュータに送る手段と
を備えたことを特徴とする自動停復電試験装置。
【発明の詳細な説明】
【０００１】
【発明の属する技術分野】
この発明は、ビル管理システムなどの被試験システムの停復電試験を自動的に実施する自動停復電試験装置に関するものである。
【０００２】
【従来の技術】
例えば、インテリジェントビルの各設備の状態を監視，管理，制御するビル管理システムは、監視室に置かれる中央監視装置、各設備からのデータを収集するデータ収集装置、各設備からの入出力をコントロールするコントローラ群などの各装置から構成されている。このビル管理システムは、商用電源によって２４時間稼働しており、停電時には自家発電源によってその稼働が継続される。
【０００３】
停復電のパターンは色々あるため、開発段階において、あらゆる事態を想定し、停復電試験を実施している。従来、この停復電試験は、手動によって行っていた。すなわち、試験員がタイミングを計り、ビル管理システムへの商用電源や自家発電源，電源の状態を示すステータス信号（商用電源ステータス信号、自家発電源ステータス信号）を手動でオン／オフし、その結果を確認していた。
【０００４】
【発明が解決しようとする課題】
しかしながら、このような停復電の試験方法によると、
▲１▼人が手動で行うため、同じ条件でシミュレーションが行えず、客観的な評価試験が行えない．
▲２▼手動でオン／オフするステータス信号が複数あるため、一人では行えず、手間がかかる．
▲３▼停電／復電のタイミングが異なる多種類のビルの停電および復電を再現できず、客観的な評価試験が行えない．
などの問題があった。
【０００５】
本発明はこのような課題を解決するためになされたもので、その目的とするところは、試験員１人で、客観的な評価試験を行うことの可能な自動停復電試験装置を提供することにある。
【０００６】
【課題を解決するための手段】
このような目的を達成するために本発明は、制御装置と、この制御装置に接続されるパーソナルコンピュータとを備えた自動停復電試験装置とし、パーソナルコンピュータに、停復電のシミュレーションパターンを記憶する記憶手段と、この記憶手段に記憶されている停復電のシミュレーションパターンを制御装置に送る手段と、制御装置からの被試験システムにおける停復電のシミュレーション結果を表示する表示手段と、制御装置からの被試験システムにおける停復電のシミュレーション結果を蓄積する蓄積手段とを設け、制御装置に、パーソナルコンピュータからの停復電のシミュレーションパターンに基づいて商用電源，自家発電源および電源の状態を示すステータス信号を生成する手段と、生成されたステータス信号を被試験システムへ与える手段と、被試験システムにおける停復電のシミュレーション結果をパーソナルコンピュータに送る手段とを設けたものである。
この発明によれば、パーソナルコンピュータに記憶されている停復電のシミュレーションパターンが制御装置へ送られ、この停復電のシミュレーションパターンに基づいて制御装置が停復電の試験を実行する。すなわち、停復電のシミュレーションパターンに基づく商用電源，自家発電源および電源の状態を示すステータス信号を生成し、生成したステータス信号を被試験システムへ与え、停復電の試験を行う。この被試験システムにおける停復電のシミュレーション結果は制御装置からパーソナルコンピュータへ送られる。パーソナルコンピュータは、制御装置からの被試験システムにおける停復電のシミュレーション結果を表示したり、蓄積したりする。
【０００７】
【発明の実施の形態】
以下、本発明を実施の形態に基づき詳細に説明する。図１はこの発明の一実施の形態を示す自動停復電試験装置のブロック図である。同図において、１は本発明の実施の形態に係る自動停復電試験装置、２はビル管理システム（被試験システム）である。自動停復電試験装置１は、制御装置１−１，パーソナルコンピュータ（ＰＣ）１−２，無停電電源装置（ＵＰＳ）１−３およびリレーＹ１〜Ｙ５を備えている。
【０００８】
制御装置１−１は、ＵＰＳ１−３からの電源の供給を受けて動作し、ＰＣ１−２からダウンロードした後述するシミュレーションパターンに基づいてリレーＹ１〜Ｙ５をオン／オフ駆動する。ｙ１〜ｙ５はリレーＹ１〜Ｙ５の常開接点（リレー接点）であり、リレーＹ１のオン駆動によりリレー接点ｙ１がオンとなり、リレーＹ２のオン駆動によりリレー接点ｙ２がオンとなり、リレーＹ３のオン駆動によりリレー接点ｙ３がオンとなり、リレーＹ４のオン駆動によりリレー接点ｙ４がオンとなり、リレーＹ５のオン駆動によりリレー接点ｙ５がオンとなる。
【０００９】
本実施の形態では、リレー接点ｙ１がオンとなると商用電源Ｓ１が、リレー接点ｙ２がオンとなると自家発電源Ｓ２が、リレー接点ｙ３がオンとなると商用電源の状態を示す商用電源ステータス信号Ｓ３が、リレー接点ｙ４がオンとなると自家発電源の状態を示す自家発電源ステータス信号Ｓ４が、リレー接点ｙ５がオンとなると警報信号（この例では、火災発生信号）Ｓ５がビル管理システム２へ与えられるようになっている。
【００１０】
ビル管理システム２は、監視室に置かれる中央監視装置２−１、各設備からのデータを収集するデータ収集装置２−２、各設備からの入出力をコントロールするコントローラ２−３などの各装置から構成されている。
【００１１】
図２はＰＣ１−２の概略構成を示すブロック図である。同図において、１−２１はＣＰＵ、１−２２はＲＡＭ、１−２３はＲＯＭ、１−２４〜１−２６はインターフェイス、１−２７はディスプレイ、１−２８はキーボード、１−２９はマウスである。ＣＰＵ１−２１は、インターフェイス１−２４〜１−２６を介して与えられる各種入力情報を得て、ＲＯＭ１−２３に格納されたプログラムに従い、ＲＡＭ１−２２にアクセスしながら、各種処理動作を行う。ＣＰＵ１−２１での各種処理情報は、インターフェイス１−２４，１−２６を介して出力される。本実施の形態において、ＲＡＭ１−２２には、停復電のシミュレーションパターンが格納されている。この停復電のシミュレーションパターンは、あらゆる事態を想定し、試験用として事前に作成されたものである。
【００１２】
図３は制御装置１−１の概略構成を示すブロック図である。同図において、１−１１はＣＰＵ、１−１２はＲＡＭ、１−１３はＲＯＭ、１−１４，１−１５はインターフェイスである。ＣＰＵ１−１１は、ＲＯＭ１−２３に格納されたプログラムに従い、ＲＡＭ１−２２にアクセスしながら、ビル管理システム２の停復電試験を行う。
【００１３】
〔停復電試験〕
停復電試験に際し、制御装置１−１のＣＰＵ１−１１は、ＰＣ１−２のＲＡＭ１−２２中に格納されている停復電のシミュレーションパターンをダウンロードし、ＲＡＭ１−１２中に格納する。ＣＰＵ１−１１は、このダウンロードした停復電のシミュレーションパターンに基づいてリレーＹ１〜Ｙ５をオン／オフ駆動し、リレー接点ｙ１〜ｙ５をオン／オフする。図４〜図９に停復電のシミュレーションパターンを例示する。
【００１４】
〔パターン１〕
図４に示したパターン（パターン１）は、「停電が発生したが、一瞬のうちに商用電源が復帰した」場合のパターンである。ＣＰＵ１−１１は、このパターンに従い、最初はリレーＹ１をオン駆動し、リレー接点ｙ１をオンとして、ビル管理システム２へ商用電源Ｓ１を供給する（ｔ０点）。次に、ｔ１点において、リレーＹ１をオフ駆動し、リレー接点ｙ１をオフとし、ビル管理システム２への商用電源Ｓ１を遮断する。この商用電源Ｓ１の遮断とほゞ同時に、リレーＹ３をオン駆動し、リレー接点ｙ３をオンとし、ビル管理システム２への商用電源ステータス信号Ｓ３をオンとする（ｔ１点）。
【００１５】
この後、すぐにリレーＹ１をオン駆動し、リレー接点ｙ１をオンとして、ビル管理システム２への商用電源Ｓ１の供給を再開する（ｔ３点）。この商用電源Ｓ１の供給再開とほゞ同時に、リレーＹ３をオフ駆動し、リレー接点ｙ３をオフとし、ビル管理システム２への商用電源ステータス信号Ｓ３をオフとする（ｔ４点）。
【００１６】
〔パターン２〕
図５に示したパターン（パターン２）は、「停電が発生し、自家発電に切り替えられ、自家発電しているときに商用電源が復帰した」場合のパターンである。ＣＰＵ１−１１は、このパターンに従い、最初はリレーＹ１をオン駆動し、リレー接点ｙ１をオンとして、ビル管理システム２へ商用電源Ｓ１を供給する（ｔ０点）。また、リレーＹ４をオン駆動し、リレー接点ｙ４をオンとして、ビル管理システム２への自家発電ステータス信号Ｓ４をオンとする（ｔ０点）。
【００１７】
次に、ｔ１点において、リレーＹ１をオフ駆動し、リレー接点ｙ１をオフとし、ビル管理システム２への商用電源Ｓ１を遮断する。この商用電源Ｓ１の遮断とほゞ同時に、リレーＹ３をオン駆動し、リレー接点ｙ３をオンとし、ビル管理システム２への商用電源ステータス信号Ｓ３をオンとする（ｔ２点）。そして、リレーＹ２をオン駆動し、リレー接点ｙ２をオンとし、ビル管理システム２への自家発電源Ｓ２の供給を開始する（ｔ３点）。この自家発電源Ｓ２の供給開始とほゞ同時に、リレーＹ４をオフ駆動し、リレー接点ｙ４をオフとし、ビル管理システム２への自家発電源ステータス信号Ｓ４をオフとする（ｔ４点）。
【００１８】
この状態をしばらく維持し、ｔ５点において、リレーＹ１をオン駆動し、リレー接点ｙ１をオンとして、ビル管理システム２への商用電源Ｓ１の供給を再開する。この商用電源Ｓ１の供給再開とほゞ同時に、リレーＹ３をオフ駆動し、リレー接点ｙ３をオフとし、ビル管理システム２への商用電源ステータス信号Ｓ３をオフとする（ｔ６点）。そして、リレーＹ２をオフ駆動し、リレー接点ｙ２をオフとし、ビル管理システム２への自家発電源Ｓ２の供給を遮断する（ｔ７点）。この自家発電源Ｓ２の遮断とほゞ同時に、リレーＹ４をオン駆動し、リレー接点ｙ４をオンとし、ビル管理システム２への自家発電源ステータス信号Ｓ４をオンとする（ｔ８点）。
【００１９】
〔パターン３〕
図６に示したパターン（パターン３）は、「火災が発生し、停電となり、火災を鎮火し、停電が復帰した」場合のパターンである。ＣＰＵ１−１１は、このパターンに従い、最初はリレーＹ１をオン駆動し、リレー接点ｙ１をオンとして、ビル管理システム２へ商用電源Ｓ１を供給する（ｔ０点）。次に、ｔ１点において、リレーＹ５をオン駆動し、リレー接点ｙ５をオンとし、ビル管理システム２への火災発生信号Ｓ５をオンとする。この火災発生信号Ｓ５のオン後、リレーＹ１をオフ駆動し、リレー接点ｙ１をオフとし、ビル管理システム２への商用電源Ｓ１を遮断する（ｔ２点）。この商用電源Ｓ１の遮断とほゞ同時に、リレーＹ３をオン駆動し、リレー接点ｙ３をオンとし、ビル管理システム２への商用電源ステータス信号Ｓ３をオンとする（ｔ３点）。
【００２０】
そして、しばらく経った後、リレーＹ５をオフ駆動し、リレー接点ｙ５をオフとし、ビル管理システム２への火災発生信号Ｓ５をオフとする（ｔ４点）。この火災発生信号Ｓ５のオフ後、リレーＹ１をオン駆動し、リレー接点ｙ１をオンとして、ビル管理システム２へ商用電源Ｓ１の供給を再開する（ｔ５点）。この商用電源Ｓ１の供給再開とほゞ同時に、リレーＹ３をオフ駆動し、リレー接点ｙ３をオフとし、ビル管理システム２への商用電源ステータス信号Ｓ３をオフとする（ｔ６点）。
【００２１】
〔パターン４〕
図７に示したパターン（パターン４）は、「火災が発生し、停電となった。自家発電源に切り替え運転は継続した。火災が鎮火したことを受けて火災発生信号がオフした」場合のパターンである。ＣＰＵ１−１１は、このパターンに従い、最初はリレーＹ１をオン駆動し、リレー接点ｙ１をオンとして、ビル管理システム２へ商用電源Ｓ１を供給する（ｔ０点）。また、リレーＹ４をオン駆動し、リレー接点ｙ４をオンとして、ビル管理システム２への自家発電ステータス信号Ｓ４をオンとする（ｔ０点）。
【００２２】
次に、ｔ１点において、リレーＹ５をオン駆動し、リレー接点ｙ５をオンとし、ビル管理システム２への火災発生信号Ｓ５をオンとする。この火災発生信号Ｓ５のオン後、リレーＹ１をオフ駆動し、リレー接点ｙ１をオフとし、ビル管理システム２への商用電源Ｓ１を遮断する（ｔ２点）。この商用電源Ｓ１の遮断とほゞ同時に、リレーＹ３をオン駆動し、リレー接点ｙ３をオンとし、ビル管理システム２への商用電源ステータス信号Ｓ３をオンとする（ｔ３点）。そして、リレーＹ２をオン駆動し、リレー接点ｙ２をオンとし、ビル管理システム２への自家発電源Ｓ２の供給を開始する（ｔ４点）。この自家発電源Ｓ２の供給開始とほゞ同時に、リレーＹ４をオフ駆動し、リレー接点ｙ４をオフとし、ビル管理システム２への自家発電源ステータス信号Ｓ４をオフとする（ｔ５点）。
【００２３】
そして、しばらく経った後、リレーＹ５をオフ駆動し、リレー接点ｙ５をオフとし、ビル管理システム２への火災発生信号Ｓ５をオフとする（ｔ６点）。この火災発生信号Ｓ５のオフ後、リレーＹ２をオフ駆動し、リレー接点ｙ２をオフとして、ビル管理システム２へ自家発電源Ｓ２の供給を遮断する（ｔ７点）。この自家発電源Ｓ２の遮断とほゞ同時に、リレーＹ４をオン駆動し、リレー接点ｙ４をオンとし、ビル管理システム２への自家発電源ステータス信号Ｓ４をオンとする（ｔ８点）。
〔パターン５〕
図８に示したパターン（パターン５）は、「停電が発生した後に火災が発生した。自家発電源のまま運転を継続した。火災が鎮火し、商用電源が復帰した」場合のパターンである。ＣＰＵ１−１１は、このパターンに従い、最初はリレーＹ１をオン駆動し、リレー接点ｙ１をオンとして、ビル管理システム２へ商用電源Ｓ１を供給する（ｔ０点）。また、リレーＹ４をオン駆動し、リレー接点ｙ４をオンとして、ビル管理システム２への自家発電ステータス信号Ｓ４をオンとする（ｔ０点）。
【００２４】
次に、ｔ１点において、リレーＹ１をオフ駆動し、リレー接点ｙ１をオフとし、ビル管理システム２への商用電源Ｓ１を遮断する。この商用電源Ｓ１の遮断とほゞ同時に、リレーＹ３をオン駆動し、リレー接点ｙ３をオンとし、ビル管理システム２への商用電源ステータス信号Ｓ３をオンとする（ｔ２点）。そして、リレーＹ２をオン駆動し、リレー接点ｙ２をオンとし、ビル管理システム２への自家発電源Ｓ２の供給を開始する（ｔ３点）。この自家発電源Ｓ２の供給開始とほゞ同時に、リレーＹ４をオフ駆動し、リレー接点ｙ４をオフとし、ビル管理システム２への自家発電源ステータス信号Ｓ４をオフとする（ｔ４点）。
【００２５】
次に、ｔ５点において、リレーＹ５をオン駆動し、リレー接点ｙ５をオンとし、ビル管理システム２への火災発生信号Ｓ５をオンとする。そして、しばらく経った後、リレーＹ５をオフ駆動し、リレー接点ｙ５をオフとし、ビル管理システム２への火災発生信号Ｓ５をオフとする（ｔ６点）。この火災発生信号Ｓ５のオフ後、リレーＹ２をオフ駆動し、リレー接点ｙ２をオフとして、ビル管理システム２へ自家発電源Ｓ２の供給を遮断する（ｔ７点）。この自家発電源Ｓ２の遮断とほゞ同時に、リレーＹ４をオン駆動し、リレー接点ｙ４をオンとし、ビル管理システム２への自家発電源ステータス信号Ｓ４をオンとする（ｔ８点）。そして、リレーＹ１をオン駆動し、リレー接点ｙ１をオンとし、ビル管理システム２への商用電源Ｓ１の供給を再開する（ｔ９点）。この商用電源Ｓ１の供給再開とほゞ同時に、リレーＹ３をオフ駆動し、リレー接点ｙ３をオフとし、ビル管理システム２への商用電源ステータス信号Ｓ３をオフとする（ｔ１０点）。
【００２６】
〔パターン６〕
図９に示したパターン（パターン６）は、「停電が発生し、自家発電源に切り替え、運転を継続した。このとき、火災が発生し、自家発電源をオフし、運転停止した。一定時間経過後、商用電源が復帰し、火災が鎮火し、これを受けて火災発生信号がオフした」場合のパターンである。ＣＰＵ１−１１は、このパターンに従い、最初はリレーＹ１をオン駆動し、リレー接点ｙ１をオンとして、ビル管理システム２へ商用電源Ｓ１を供給する（ｔ０点）。また、リレーＹ４をオン駆動し、リレー接点ｙ４をオンとして、ビル管理システム２への自家発電源ステータス信号Ｓ４をオンとする（ｔ０点）。
【００２７】
次に、ｔ１点において、リレーＹ１をオフ駆動し、リレー接点ｙ１をオフとし、ビル管理システム２への商用電源Ｓ１を遮断する。この商用電源Ｓ１の遮断とほゞ同時に、リレーＹ３をオン駆動し、リレー接点ｙ３をオンとし、ビル管理システム２への商用電源ステータス信号Ｓ３をオンとする（ｔ２点）。そして、リレーＹ２をオン駆動し、リレー接点ｙ２をオンとし、ビル管理システム２への自家発電源Ｓ２の供給を開始する（ｔ３点）。この自家発電源Ｓ２の供給開始とほゞ同時に、リレーＹ４をオフ駆動し、リレー接点ｙ４をオフとし、ビル管理システム２への自家発電源ステータス信号Ｓ４をオフとする（ｔ４点）。
【００２８】
次に、ｔ５点において、リレーＹ５をオン駆動し、リレー接点ｙ５をオンとし、ビル管理システム２への火災発生信号Ｓ５をオンとする。そして、しばらく経った後、リレーＹ２をオフ駆動し、リレー接点ｙ２をオフとし、ビル管理システム２への自家発電源Ｓ２を遮断する（ｔ６点）。この自家発電源Ｓ２の遮断とほゞ同時に、リレーＹ４をオン駆動し、リレー接点ｙ４をオンとし、ビル管理システム２への自家発電源ステータス信号Ｓ４をオンとする（ｔ７点）。
【００２９】
そして、一定時間Ｔの経過後、リレーＹ１をオン駆動し、リレー接点ｙ１をオンとし、ビル管理システム２への商用電源Ｓ１の供給を再開する（ｔ８点）。この商用電源Ｓ１の供給再開とほゞ同時に、リレーＹ３をオフ駆動し、リレー接点ｙ３をオフとし、ビル管理システム２への商用電源ステータス信号Ｓ３をオフとする（ｔ９点）。その後、リレーＹ５をオフ駆動し、リレー接点ｙ５をオフとし、ビル管理システム２への火災発生信号Ｓ５をオフとする（ｔ１０点）。
【００３０】
このようにして、制御装置１−１のＣＰＵ１−１１は、ＰＣ１−２からダウンロードしたＲＡＭ１−１２中の停復電のシミュレーションパターンに基づいてリレーＹ１〜Ｙ５をオン／オフ駆動し、リレー接点ｙ１〜ｙ５をオン／オフし、ビル管理システム２へ商用電源Ｓ１，自家発電源Ｓ２，商用電源ステータス信号Ｓ３，自家発電源ステータス信号Ｓ４，火災発生信号Ｓ５を与え、ビル管理システム２の停電および復電の制御を行う。このビル管理システム２の停電および復電の制御結果（停復電のシミュレーション結果）は制御装置１−１にフィードバックされる。
【００３１】
制御装置１−１のＣＰＵ１−１１はビル管理システム２からの停復電のシミュレーション結果および使用した停復電のシミュレーションパターンをＰＣ１−２へ送る。ＰＣ１−２のＣＰＵ１−２１は、制御装置１−１から送られてきたビル管理システム２における停復電のシミュレーション結果および使用した停復電のシミュレーションパターンを、視覚的に比較可能にディスプレイ１−２８上に表示する。
【００３２】
これにより、試験員１人で、客観的な評価試験を行うことが可能となる。また、確実に評価することにより、評価のばらつきがなくなる。また、最も効果的なシミュレーションパターンの選択を行うことにより、効率的で最適な試験を実施することが可能となる。
【００３３】
なお、停復電のシミュレーションパターンは、ＰＣ１−２において変更可能であり、動作時に必要なパラメータの設定も可能である。また、ＰＣ１−２において、新たな停復電のシミュレーションパターンを作り、ＲＡＭ１−２２中に格納させることもできる。また、停復電のシミュレーション結果をＰＣ１−２のＲＡＭ１−２２に蓄積することにより、従来できなかった試験後の実施内容の確認などのシミュレーション条件のトレースが行える他、文書による記録として残すことも可能になり、同条件でのシミュレーションの再現性を向上させることが可能となる。
【００３４】
上述においては、警報信号Ｓ５を火災発生信号としたが、警報信号Ｓ５は火災発生信号に限られるものではない。火災が実際に発生した場合、火災発生信号は、火災が鎮火しても自動的にオフとはならない。火災発生時に停止した機器をチェックし、問題ないことを確認して（火災鎮火）、予め定められた一番最後の機器を手動で元に戻したとき（火災解除）、これをデータ収集装置２−２で認識し、火災発生信号をオフする。すなわち、火災発生信号のオン／オフのタイミングは予め決められているのではなく、状況に応じて変化する。したがって、シミュレーションする際の火災発生信号Ｓ５も、状況に応じて色々なタイミングを想定する。また、警報信号Ｓ５は、必ずしも停復電のシミュレーションパターンに入れなくてもよい。
【００３５】
【発明の効果】
以上説明したことから明らかなように本発明によれば、パーソナルコンピュータからの停復電のシミュレーションパターンに基づいて制御装置から商用電源，自家発電源および電源関係のステータス信号が被試験システムへ与えられ、被試験システムにおける停復電のシミュレーション結果が制御装置からパーソナルコンピュータへ送られ、被試験システムにおける停復電のシミュレーション結果と使用した停復電のシミュレーションパターンとをパーソナルコンピュータのディスプレイ上で比較することにより、試験員１人で、客観的な評価試験を行うことが可能となる。また、パーソナルコンピュータに蓄積された停復電のシミュレーション結果から、試験後の実施内容の確認などのシミュレーション条件のトレースを行ったりすることも可能となる。
【図面の簡単な説明】
【図１】  本発明の一実施の形態を示す自動停復電試験装置のブロック図である。
【図２】  この自動停復電試験装置に用いるパーソナルコンピュータ（ＰＣ）の概略構成を示すブロック図である。
【図３】  この自動停復電試験装置に用いる制御装置の概略構成を示すブロック図である。
【図４】  停復電のシミュレーションパターン（パターン１）を例示する図である。
【図５】  停復電のシミュレーションパターン（パターン２）を例示する図である。
【図６】  停復電のシミュレーションパターン（パターン３）を例示する図である。
【図７】  停復電のシミュレーションパターン（パターン４）を例示する図である。
【図８】  停復電のシミュレーションパターン（パターン５）を例示する図である。
【図９】  停復電のシミュレーションパターン（パターン６）を例示する図である。
【符号の説明】
１…自動停復電試験装置、２…ビル管理システム（被試験システム）、１−１…制御装置、１−１１…ＣＰＵ、１−１２…ＲＡＭ、１−１３…ＲＯＭ、１−１４，１−１５…インターフェイス、１−２…パーソナルコンピュータ（ＰＣ）、１−２１…ＣＰＵ、１−２２…ＲＡＭ、１−２３…ＲＯＭ、１−２４〜１−２６…インターフェイス、１−２７…ディスプレイ、１−２８…キーボード、１−２９…マウス、１−３…無停電電源装置（ＵＰＳ）、Ｙ１〜Ｙ５…リレー、ｙ１〜ｙ５…リレー接点、Ｓ１…商用電源、Ｓ２…自家発電源、Ｓ３…商用電源ステータス信号、Ｓ４…自家発電源ステータス信号、Ｓ５…警報信号（火災発生信号）。
【図１】
0003701846.tif 000002
【図２】
0003701846.tif 000003
【図３】
0003701846.tif 000004
【図４】
0003701846.tif 000005
【図５】
0003701846.tif 000006
【図６】
0003701846.tif 000007
【図７】
0003701846.tif 000008
【図８】
0003701846.tif 000009
【図９】
0003701846.tif 000010